(57)【要約】【課題】未使用又は包装が未開封の物品と使用済み又は包装が開封済みの物品とを一つの物品収納袋に収納し、二泊以上の旅行や出張等の場合、二日目以降の未使用の衣類と使用済みの衣類とを一つの物品収納袋に収納する。【解決手段】開示される物品収納袋１は、袋部１１と、筒部１２と、紐１３及び１４とを有している。筒部１２は、側端部１２ｃが開口し、未使用の衣類又は使用済みの衣類が収納可能である。一方、袋部１１は、側端部１１ｃが開口するとともに側端部１１ｄが閉塞し、外周が筒部１２の他端１２ｄの内周縁と接合され、使用済みの衣類又は未使用の衣類が収納可能である。紐１３及び１４は、袋部１１及び筒部１２の開口を閉塞する。紐１３と紐１４とは、締結可能に構成されている。袋部１１の側端部１１ｄは、袋部１１と筒部１２とを仕切るとともに、袋部１１の内部及び筒部１２の内部に進入可能に構成されている。【選択図】図１
2014042540.tif 000002
【特許請求の範囲】
【請求項１】
一端が開口し、第１の物品又は第２の物品が収納可能な筒状の第１の収納部と、
一端が開口するとともに他端が閉塞し、外周が前記第１の収納部の他端内周縁と接合され、前記第２の物品又は前記第１の物品が収納可能な袋状の第２の収納部と、
前記第１の収納部の前記開口を閉塞する第１の閉塞部材と、
前記第２の収納部の前記開口を閉塞する第２の閉塞部材とを有し、
前記第１の閉塞部材と前記第２の閉塞部材とは、結合可能に構成され、
前記第２の収納部の前記他端は、前記第１の収納部と前記第２の収納部とを仕切るとともに、前記第１の収納部の内部及び前記第２の収納部の内部に進入可能に構成されていることを特徴とする物品収納袋。
【請求項２】
一端が開口し、第１の物品又は第２の物品が収納可能な筒状の第１の収納部と、
一端が開口し、他端周縁が前記第１の収納部の他端周縁と接合され、前記第２の物品又は前記第１の物品が収納可能な筒状の第２の収納部と、
前記第１の収納部の前記他端周縁と前記第２の収納部の前記他端周縁との接合部内周に周縁が接合され、前記第１の収納部と前記第２の収納部とを仕切るとともに、前記第１の収納部の内部及び前記第２の収納部の内部に進入可能な仕切り部と、
前記第１の収納部の前記開口を閉塞する第１の閉塞部材と、
前記第２の収納部の前記開口を閉塞する第２の閉塞部材とを有し、
前記第１の閉塞部材と前記第２の閉塞部材とは、結合可能に構成されていることを特徴とする物品収納袋。
【請求項３】
前記仕切り部は、一端が開口するとともに他端が閉塞した第１及び第２の袋部からなり、各開口部がずれて対向し、かつ、外周縁の一部が結合されて一体化し、一体化した第１及び第２の袋部の開口部全体の外周縁が前記第１の収納部の他端内周縁と前記第２の収納部の他端内周縁に接合されていることを特徴とする請求項２に記載の物品収納袋。
【請求項４】
前記第１の閉塞部材は、前記第１の収納部の開口周縁に設けられた紐通しに挿通された第１の紐であり、前記第１の収納部の前記開口を巾着絞りで閉塞し、
前記第２の閉塞部材は、前記第２の収納部の開口周縁に設けられた紐通しに挿通された第２の紐であり、前記第１の収納部の前記開口を巾着絞りで閉塞することを特徴とする請求項１乃至３のいずれかに記載の物品収納袋。
【発明の詳細な説明】
【技術分野】
【０００１】
本発明は、下着や水着等の衣類や上履き、オムツ、お菓子などの様々な物品の未使用又は包装が未開封のものと使用済み又は包装が開封済みのものとをまとめて収納するのに好適な物品収納袋に関する。
【背景技術】
【０００２】
従来の下着類収納袋には、袋の一方の面をネット状に形成された材質とし、他方の面を普通布地で形成したものがある。この下着類収納袋では、一方の面の延長部を収納袋開口部上縁を軸にして外方側に折り返すとともに、この延長部の両側縁部分を収納袋本体に固着することで形成される逆ポケット状部分と、この逆ポケット状部分内部の収納袋開口部両側端位置に輪状部材とを設けている（例えば、特許文献１参照。）。以下、この技術を第１の従来例と呼ぶ。
【０００３】
また、従来の携帯用下着袋には、防水性の袋状表面布部材で平板状の芯地を覆い、芯地底面部に開口が位置され芯地と開口部側部材の間に巾着袋収納部を形成したものがある。この携帯用下着袋では、芯地底面に底面部の一部と接続するように巾着袋を設け、表側布部材の表面に未使用タオルや下着等の未使用品収納袋を設けている（例えば、特許文献２参照。）。以下、この技術を第２の従来例と呼ぶ。
【先行技術文献】
【特許文献】
【０００４】
【特許文献１】実用新案登録第２５３０６０８号公報
【特許文献２】特開２００１−３７５１５号公報
【発明の概要】
【発明が解決しようとする課題】
【０００５】
上記した第１及び２の従来例では、いずれも未使用の衣類と使用済みの衣類を一つの袋に収納できないという問題があった。上記した不都合は、衣類だけでなく、上履き、オムツなどの物品について、未使用のものと使用済みのものとを一つの袋に収納する場合や、お菓子などの物品について、包装が未開封のものと包装が開封済みのものとを一つの袋に収納する場合についても、同様に当てはまる。
また、上記した第１及び２の従来例では、いずれも二泊以上の旅行や出張等の場合、二日目以降の未使用の衣類と使用済みの衣類を一つの袋に収納できないという問題があった。
【０００６】
本発明は、上述した事情に鑑みてなされたものであり、上述のような問題を解決することを課題の一例とするものであり、これらの課題を解決することができる物品収納袋を提供することを目的とする。
【課題を解決するための手段】
【０００７】
上記課題を解決するために、請求項１に記載の発明に係る物品収納袋は、一端が開口し、第１の物品又は第２の物品が収納可能な筒状の第１の収納部と、一端が開口するとともに他端が閉塞し、外周が前記第１の収納部の他端内周縁と接合され、前記第２の物品又は前記第１の物品が収納可能な袋状の第２の収納部と、前記第１の収納部の前記開口を閉塞する第１の閉塞部材と、前記第２の収納部の前記開口を閉塞する第２の閉塞部材とを有し、前記第１の閉塞部材と前記第２の閉塞部材とは、結合可能に構成され、前記第２の収納部の前記他端は、前記第１の収納部と前記第２の収納部とを仕切るとともに、前記第１の収納部の内部及び前記第２の収納部の内部に進入可能に構成されていることを特徴としている。
【０００８】
また、請求項２に記載の発明に係る物品収納袋は、一端が開口し、第１の物品又は第２の物品が収納可能な筒状の第１の収納部と、一端が開口し、他端周縁が前記第１の収納部の他端周縁と接合され、前記第２の物品又は前記第１の物品が収納可能な筒状の第２の収納部と、前記第１の収納部の前記他端周縁と前記第２の収納部の前記他端周縁との接合部内周に周縁が接合され、前記第１の収納部と前記第２の収納部とを仕切るとともに、前記第１の収納部の内部及び前記第２の収納部の内部に進入可能な仕切り部と、前記第１の収納部の前記開口を閉塞する第１の閉塞部材と、前記第２の収納部の前記開口を閉塞する第２の閉塞部材とを有し、前記第１の閉塞部材と前記第２の閉塞部材とは、結合可能に構成されていることを特徴としている。
【０００９】
また、請求項３に記載の発明は、請求項２に記載の物品収納袋に係り、前記仕切り部は、一端が開口するとともに他端が閉塞した第１及び第２の袋部からなり、各開口部がずれて対向し、かつ、外周縁の一部が結合されて一体化し、一体化した第１及び第２の袋部の開口部全体の外周縁が前記第１の収納部の他端内周縁と前記第２の収納部の他端内周縁に接合されていることを特徴としている。
【００１０】
また、請求項４に記載の発明は、請求項１乃至３のいずれかに記載の物品収納袋に係り、前記第１の閉塞部材は、前記第１の収納部の開口周縁に設けられた紐通しに挿通された第１の紐であり、前記第１の収納部の前記開口を巾着絞りで閉塞し、前記第２の閉塞部材は、前記第２の収納部の開口周縁に設けられた紐通しに挿通された第２の紐であり、前記第１の収納部の前記開口を巾着絞りで閉塞することを特徴としている。
上記各請求項において、収納袋に収容する物品が衣類、上履き、オムツ及びこれらに類似する物品である場合には、第１の物品とは未使用の物品をいい、第２の物品とは使用済みの物品をいう。
また、上記各請求項において、収納袋に収容する物品がお菓子及びこれらに類似する物品である場合には、第１の物品とは包装が未開封の物品をいい、第２の物品とは包装が開封済みの物品をいう。
【発明の効果】
【００１１】
本発明によれば、未使用又は包装が未開封の物品と使用済み又は包装が開封済みの物品とを一つの物品収納袋に収納することができる。また、物品が衣類の場合、二泊以上の旅行や出張等の場合、二日目以降の未使用の衣類と使用済みの衣類とを一つの物品収納袋に収納することができる。
【図面の簡単な説明】
【００１２】
【図１】本発明の実施の形態１に係る物品収納袋の構成を示す平面図である。
【図２】図１に示すＡ−Ａの部分で折った状態の物品収納袋の構成を示す平面図である。
【図３】筒部に二日分の衣類が収納され、袋部に何も収納されていないで二つの紐がいずれも巾着絞りとされた物品収納袋を示す平面図である。
【図４】図３に示す状態から二つの紐が結ばれた物品収納袋を示す斜視図である。
【図５】筒部に二日分の着替えの衣類が収納された物品収納袋の断面図である。
【図６】袋部に一日目に着用した衣類が収納され、筒部に着替えの衣類が収納された物品収納袋の断面図である。
【図７】袋部に一日目及び二日目に着用した衣類が収納され、筒部に何も収納されていない物品収納袋の断面図である。
【図８】本発明の実施の形態４に係る物品収納袋の構成を示す断面図である。
【図９】本発明の実施の形態８に係る物品収納袋を適用したリュックサックの構成を示す概略図である。
【図１０】図９に示すリュックサックの前面部に取り付けられたふた部を取り除き、物品収納袋の二つの紐がいずれも巾着絞りとされた状態を示す概略図である。
【図１１】本発明の実施の形態８に係る物品収納袋を適用したワンショルダーバッグの利用例を示す概略図である。
【図１２】本発明の実施の形態８に係る物品収納袋を適用したワンショルダーバッグの利用例を示す概略図である。
【発明を実施するための形態】
【００１３】
以下、図面を参照して本発明を実施するための形態について説明する。
実施の形態１．
図１は本発明の実施の形態１に係る物品収納袋１の構成を示す平面図、図２は図１に示すＡ−Ａの部分で折った状態の物品収納袋１の構成を示す平面図である。
【００１４】
物品収納袋１は、袋部１１と、筒部１２と、紐１３及び１４と、ループエンド１５及び１６とから構成されている。袋部１１、筒部１２、紐１３及び１４の素材は、コットンやウール、麻等の天然繊維、ポリエステルやナイロン、ポリエチレン等の合成繊維、キュプラ等の再生繊維のいずれでも良い。ループエンド１５及び１６の素材は、木、竹、貝殻、ガラス、金属、プラスチック等のいずれでも良い。
【００１５】
袋部１１と筒部１２とは、素材、色、模様等の少なくともいずれか一つを異ならせることが好ましい。また、紐１３と紐１４とは、紐１３及び１４を構成する繊維の素材、色、束ね方等の少なくともいずれか一つを異ならせることが好ましい。さらに、ループエンド１５とループエンド１６とは、素材、形状、色、模様等の少なくともいずれか一つを異ならせることが好ましい。
【００１６】
この場合、袋部１１、紐１３及びループエンド１５は、統一感のある素材、色、模様等又はこれらの組合せであることが好ましく、筒部１２、紐１４及びループエンド１６は、統一感のある素材、色、模様等又はこれらの組合せであることが好ましい。
【００１７】
袋部１１は、一枚の布が略中央で折り畳まれ、重なった両端縁１１ａ及び１１ｂの一部が縫合されて縫合部２１として全体形状が略筒状とされている。この袋部１１は、一方の側端部１１ｃが開口部２２とされ、他方の側端部１１ｄの縁部が略円弧状に縫合されて底部２３とされている。開口部２２には、上記布の一方の側端部１１ｃの縁部が折り返され縫合されて紐通し２４が形成されている。縫合部２１の開口部２２側の端部には、縫い止まり２１ａが設けられて紐通し２４の両端に紐通し口２５ａ及び２５ｂが形成されている。
【００１８】
一方、筒部１２は、一枚の布が略中央で折り畳まれ、重なった両端縁１２ａ及び１２ｂの一部が縫合されて縫合部３１として全体形状が略筒状とされている。この筒部１２は、一方の側端部１２ｃが開口部３２とされ、他方の側端部１２ｄの縁部が袋部１１の外周に縫合されて縫合部４１とされている。開口部３２には、上記布の一方の側端部１２ｃの縁部が折り返され縫合されて紐通し３３が形成されている。縫合部３１の開口部３２側の端部には、縫い止まり３１ａが設けられて紐通し３３の両端に紐通し口３４ａ及び３４ｂが形成されている。
【００１９】
縫合部４１は、例えば、袋部１１の開口部２２から底部２３までの距離において、底部２３から開口部２２に向かって略３分の１程度の距離の部分に形成されている。袋部１１は、開口部２２から縫合部４１までの筒状部２６と、縫合部４１から底部２３までの仕切り部２７とから構成されている。
【００２０】
袋部１１の紐通し２４には、紐通し口２５ａ又は２５ｂから紐１３が挿通されている。紐通し口２５ａ及び２５ｂから突出した紐１３の両端は、締結され、ループエンド１５が遊嵌されている。筒部１２の紐通し３３には、紐通し口３４ａ又は３４ｂから紐１４が挿通されている。紐通し口３４ａ及び３４ｂから突出した紐１４の両端は、締結され、ループエンド１６が遊嵌されている。なお、ループエンド１５及び１６は、必ずしも紐１３及び１４の締結した両端に遊嵌させなくても良い。
【００２１】
次に、上記構造を備えた物品収納袋１の使用方法の一例について、図３〜図７を参照して説明する。以下に示す例では、旅行者Ａは、二泊三日の宿泊旅行に出かけるものとする。したがって、旅行者Ａは、旅行出発時には、上記物品収納袋１には、二日分の上下の下着、靴下、ハンカチーフ等の衣類の未使用のものを収納して旅行鞄等に収容する。なお、ハンカチーフやタオル等は、厳密には「衣類」には分類されないが、説明を簡単にするため、下着、靴下にこれらを含めて「衣類」と総称する。
【００２２】
図３は、筒部１２に二日分の衣類を収納した後、紐１３及び１４をいずれも巾着絞りとした物品収納袋１を示す平面図である。また、図４は、図３に示す状態から紐１３と紐１４を結んだ物品収納袋１を示す斜視図である。さらに、図５は、筒部１２に二日分の着替えである衣類５１及び５２が収納された物品収納袋の断面図である。図５から分かるように、旅行出発時には、筒部１２にのみ、未使用で最初の着替えである衣類５１と、未使用で次の着替えである衣類５２とが収納されている。
【００２３】
次に、一日目の入浴時又は就寝時あるいは二日目の起床時に新しい衣類に着替える場合には、旅行者Ａは、筒部１２から最初の着替えである衣類５１を取り出し、一日目に着用し脱いだ衣類６１を袋部１１に収納する。図６は、袋部１１に一日目に着用した衣類６１が収納され、筒部１２に次の着替えである衣類５２が収納された物品収納袋１の断面図である。
【００２４】
旅行者Ａは、図６に示す状態にある物品収納袋１について、紐１３を引き出しながら開口部２２を絞って巾着絞りとするとともに、紐１４を引き出しながら開口部３２を絞って巾着絞りとすることにより、物品収納袋１を図３に示す状態と同様な状態とする。次に、旅行者Ａは、図３に示す状態と同様の状態にある物品収納袋１について、紐１３と紐１４を結んで図４に示す状態と同様な状態とする。
【００２５】
次に、二日目の入浴時又は就寝時あるいは三日目の起床時に新しい衣類に着替える場合には、旅行者Ａは、筒部１２から次の着替えである衣類５２を取り出し、二日目に着用し脱いだ衣類６２を衣類６１とともに袋部１１に収納する。図７は、袋部１１に一日目及び二日目に着用した衣類６１及び６２が収納され、筒部１２には何も収納されていない物品収納袋１の断面図である。
【００２６】
旅行者Ａは、図７に示す状態にある物品収納袋１について、紐１３を引き出しながら開口部２２を絞って巾着絞りとするとともに、紐１４を引き出しながら開口部３２を絞って巾着絞りとすることにより、物品収納袋１を図３に示す状態と同様な状態とする。次に、旅行者Ａは、図３に示す状態と同様の状態にある物品収納袋１について、紐１３と紐１４が結ばれて図４に示す状態と同様な状態とする。
【００２７】
このように、本発明の実施の形態１によれば、未使用の衣類５２と使用済みの衣類６１とを一つの物品収納袋１に収納することができる。また、本発明の実施の形態１によれば、二泊以上の旅行や出張等の場合、二日目以降の未使用の衣類５２と使用済みの衣類６１とを一つの物品収納袋１に収納することができる。
【００２８】
実施の形態２．
上述の実施の形態１では、袋部１１と筒部１２とは、素材、色、模様等の少なくともいずれか一つを異ならせる例を示したが、これに限定されない。例えば、使用済みの衣類６１及び６２を収納する袋部１１の形態をメッシュ状としたり、通気性、防臭・消臭性、抗菌性のある素材を使用したり、あるいは、袋部１１に内ポケットを設けて防臭剤、消臭剤、抗菌剤、除湿剤等を入れるようにしたりしても良い。さらに、袋部１１の外周に「使用済」の文字や使用済みであることが直感的に理解できるような表示（例えば、黒くまのイラスト）等を記載するとともに、筒部１２の外周に「未使用」の文字や未使用であることが直感的に理解できるような表示（例えば、白くまのイラスト）等を記載しても良い。
【００２９】
実施の形態３．
上述の実施の形態１及び２では、袋部１１の筒状部２６と仕切り部２７とを一枚の布で構成する例を示したが、これに限定されない。袋部１１は、例えば、筒状部２６と仕切り部２７を別々の布で構成しても良い。
【００３０】
実施の形態４．
上述の実施の形態１〜３では、物品収納袋１は、袋部１１と筒部１２とを有する例を示したが、これに限定されない。物品収納袋１は、図８に示すように、筒状部２６と、上述の実施の形態３の別布の仕切り部２７と、筒部１２と、上記別布の仕切り部２７と同様の形状を有する仕切り部３５とを有し、この仕切り部３５の開口部３５ａを筒部１２側に向け、袋部１１の内部に進入可能に構成しても良い。
【００３１】
この場合、例えば、仕切り部２７と新たな仕切り部３５とは、開口部２７ａと開口部３５ａが上下にずれて対向し、かつ、外周縁の一部が当接するように配置させ、当接する部分を縫合して一体化するとともに、一体化した仕切り部２７及び３５の開口部全体の外周縁を筒部１２の他方の側端部１２ｄの内周縁と筒状部２６の開口部２６ａの内周縁とともに縫合して縫合部４１とすれば良い。すなわち、仕切り部２７及び３５は、断面略Ｓ字状を呈するように縫合すれば良い。
【００３２】
このように構成すれば、未使用の衣類と使用済みの衣類とを一つの物品収納袋１に収納した場合、各部に収納した衣類の分量が異なっていても、物品収納袋１の内部でそれぞれの衣類が偏らずに略中央に位置する。したがって、そのような状態にある物品収納袋１について、紐１３及び１４をそれぞれ引き出しながら開口部２２及び３２を絞って巾着絞りとした後、紐１３と紐１４を結べば、常に図４に示す状態と同様な状態となる。
【００３３】
実施の形態５．
上述の実施の形態１では、袋部１１は、一枚の布を略中央で折り畳み、重なった両端縁１１ａ及び１１ｂの一部を縫合して縫合部２１とした例を示したが、これに限定されない。例えば、少なくとも仕切り部２７に襠を設けても良い。また、上述の実施の形態４に示す筒部１２と連通する仕切り部についても襠を設けても良い。このように構成すれば、衣類が内部で型崩れせずに収納される。この場合、仕切り部２７の底部２３及び上述の実施の形態４に示す筒部１２と連通する仕切り部は、平面形状が略矩形状となるように縫合すれば、略矩形状に折り畳んだ衣類の型崩れを一層防ぐことができる。
【００３４】
実施の形態６．
上述の実施の形態１では、袋部１１及び筒部１２には、縫合部２１の開口部２２側の端部にのみ紐通し口２５ａ及び２５ｂを設けるとともに、縫合部３１の開口部３２側の端部にのみ紐通し口３４ａ及び３４ｂを設ける例を示したが、これに限定されない。袋部１１及び筒部１２には、開口部２２及び３２の両方の端部にそれぞれ紐通し口を設けるとともに、各紐通し２４及び３３に互いに折り曲げ部が対向するように二本の紐を挿通させて各紐の端部を外部に突出させて締結し、両手で二本の紐の締結部をそれぞれ引っ張ることにより巾着絞りをなすことができるように構成しても良い。
【００３５】
実施の形態７．
上述の実施の形態１では、袋部１１及び筒部１２は、開口部２２及び開口部３２を紐１３及び１４を用いて茶巾絞りで閉塞する例を示したが、これに限定されない。開口部２２及び開口部３２は、ファスナー、面ファスナー、ボタン、スナップボタン、かぎホック等の閉塞部材で閉塞するように構成しても良い。
【００３６】
この場合、物品収納袋１を二つ折り又は三つ折りし、開口部２２及び開口部３２と、物品収納袋１を折り畳んだ結果、開口部２２及び開口部３２が当接する筒部１２及び袋部１１の各表面には、例えば、開口部２２及び開口部３２側に、ファスナーの一方のエレメント（務歯）、面ファスナーのフック、ボタン、スナップボタンの凸部材、かぎホックの鉤（hook）を取りつけるとともに、筒部１２及び袋部１１の各表面に、ファスナーの他方のエレメント（務歯）及びスライダー、面ファスナーのループ、ボタンホール、スナップボタンの凹部材、かぎホックの輪（eye）を取りつける。これらの閉塞部材のうち、筒部１２及び袋部１１の各表面に取りつけられる部材は、物品収納袋１に収納される衣類の容量に応じて数カ所に取り付けることが好ましい。
【００３７】
実施の形態８．
上述の実施の形態１〜７では、物品収納袋１を単独で使用する例を示したが、これに限定されない。例えば、図９に示すリュックサック７１の収納部の１つとして用いても良い。図１０は、図９に示すリュックサック７１の前面部７２に取り付けられたふた部７３及び７４を取り除き、物品収納袋１の紐１３及び１４をいずれも巾着絞りとした状態を示している。前面部７２には、開口部７５及び７６が隣接して形成されている。
【００３８】
図９及び図１０において、開口部７５の上縁部７５ａには、ふた部７３の上縁部７３ａが縫合され、開口部７６の上縁部７６ａには、ふた部７４の上縁部７４ａが縫合されている。また、図９において、ふた部７３には、使用済みであることが直感的に理解できる、黒くまのイラスト７７が描かれ、ふた部７４には、未使用であることが直感的に理解できる、白くまのイラスト７８が描かれている。
【００３９】
図１０において、開口部７５には、物品収納袋１を構成する袋部１１の外周が縫合されて縫合部８１とされている。開口部７５から突出する、開口部２２から縫合部８１までの長さは、紐１３を巾着絞りにした際に、袋部１１に対して長手方向に過剰な力が加えられずに開口部２２がほぼ閉じることができる程度とすることが好ましい。
【００４０】
一方、開口部７６には、物品収納袋１を構成する筒部１２の外周が縫合されて縫合部８２とされている。開口部７６から突出する、開口部３２から縫合部８２までの長さは、紐１４を巾着絞りにした際に、筒部１２に対して長手方向に過剰な力が加えられずに開口部３２がほぼ閉じることができる程度とすることが好ましい。なお、図１０に示す状態から紐１３と紐１４を結んでも良い。
【００４１】
また、開口部７５と袋部１１の外周との縫合及び開口部７５と筒部１２の外周との縫合に代えて、開口部７５及び７６の縁部に、ファスナーの一方のエレメント（務歯）、面ファスナーのフック、ボタン、スナップボタンの凸部材、かぎホックの鉤（hook）を取りつけるとともに、袋部１１の外周の縫合部８１に対応した箇所及び筒部１２の外周の縫合部８２に対応した箇所に、ファスナーの他方のエレメント（務歯）及びスライダー、面ファスナーのループ、ボタンホール、スナップボタンの凹部材、かぎホックの輪（eye）を取りつけても良い。このように構成すれば、リュックサック７１の開口部７５及び７６から物品収納袋１を取り外すことが可能となる。この場合、物品収納袋１は、繰り返し使用可能なものでも、使い捨てのものでも良い。
【００４２】
なお、２つの開口部は、必ずしも図１０に示す開口部７５及び７６のように隣接して形成する必要はなく、例えば、一方の側面部と他方の側面部又は、前面部と背面部にそれぞれ形成するようにしてももちろん良い。
【００４３】
また、物品収納袋１は、リュックサック７１の収納部の１つとして用いるだけでなく、手提げ鞄やショルダーバッグの収納部の１つとして用いてももちろん良い。すなわち、手提げ鞄やショルダーバッグのそれぞれの外周部に２つの開口部を形成して、各開口部に袋部１１の外周及び筒部１２の外周をそれぞれ縫合又は上記ファスナー等による接合をしても良い。
【００４４】
図１１及び図１２は、物品収納袋１をワンショルダーバッグ９１の収納部の１つとして用いる例を示している。ワンショルダーバッグ９１の前面部９２にふた部９３及び９４が取り付けられている。ふた部９３の下部には、図示しないが、図１０と同様に、開口部７５に類似した開口部が形成され、当該開口部には、物品収納袋１を構成する袋部１１の外周が縫合されている。一方、ふた部９４の下部には、図示しないが、図１０と同様に、開口部７６に類似した開口部が形成され、当該開口部には、物品収納袋１を構成する筒部１２の外周が縫合されている。物品収納袋１に関するその他の構成は、図１０に示すリュックサック７１に適用される物品収納袋１の構成と同様であるので、その説明を省略する。
【００４５】
袋部１１又は筒部１２のいずれか一方のみに物品を収納した場合、収納した袋部１１又は筒部１２の側が重くなるので、物品を収納した袋部１１又は筒部１２側が下になるように装着すれば良い。図１２は、ふた部９４の下部に設けられた筒部１２内に物品を収納したワンショルダーバッグ９１を装着した例を示している。
【００４６】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。
例えば、上述の各実施の形態では、袋部１１及び筒部１２の形態は、布（織物）である例を示したが、これに限定されず、不織布、シート、フィルムのいずれでも良い。この場合、各部の接合手段は、縫合の他、袋部１１及び筒部１２等の素材や形態に合わせて、接着、圧着、溶着等のいずれを採用しても良い。
【００４７】
また、上述の各実施の形態では、筒部１２に未使用の衣類を収納し、袋部１１に使用済みの衣類を収容する例を示したが、これに限定されず。袋部１１に未使用の衣類を収納し、筒部１２に使用済みの衣類を収容するようにしても良い。さらに、袋部１１及び筒部１２には、衣類以外のもの、例えば、上履き、オムツ、お菓子（包装が未開封のものと包装が開封済みのもの）などの他の物品を収納してももちろん良い。
また、上述の各実施の形態は、その目的及び構成等に特に矛盾や問題がない限り、互いの技術を流用することができる。
【００４８】
さらに、上述の実施の形態１では、物品収納袋１を宿泊旅行や出張に使用する例を示したが、これに限定されない。物品収納袋１は、スポーツクラブ等のスポーツ施設でスポーツをする場合、銭湯や日帰り温泉施設に出かける場合、被介護者がデイサービスを受ける場合、合宿や林間学校等の宿泊を伴う各種行事に参加する場合などで使用してももちろん良い。また、物品収納袋１は、衣類を着替える本人だけでなく、本人の保護者（配偶者、親、介護者など）が使用してももちろん良い。
【符号の説明】
【００４９】
１…物品収納袋、１１…袋部（第２の収納部）、１１ａ，１１ｂ…両端縁、１１ｃ…側端部、１１ｄ…側端部、１２…筒部（第１の収納部）、１２ａ，１２ｂ…両端縁、１２ｃ…側端部、１２ｄ…側端部、１３…紐（第２の閉塞部材）、１４…紐（第１の閉塞部材）、１５，１６…ループエンド、２１，３１，４１，８１，８２…縫合部、２１ａ，３１ａ…縫い止まり、２２，２７ａ，３２，３５ａ，７５，７６…開口部、２３…底部、２４，３３…紐通し、２５ａ，２５ｂ，３４ａ，３４ｂ…紐通し口、２６…筒状部、２７，３５…仕切り部、５１，５２，６１，６２…衣類、７１…リュックサック、７２、９２…前面部、７３，７４、９３、９４…ふた部、７３ａ，７４ａ，７５ａ，７６ａ…上縁部、７７…黒くまのイラスト、７８…白くまのイラスト、９１…ワンショルダーバッグ
【図１】
2014042540.tif 000003
【図２】
2014042540.tif 000004
【図３】
2014042540.tif 000005
【図４】
2014042540.tif 000006
【図５】
2014042540.tif 000007
【図６】
2014042540.tif 000008
【図７】
2014042540.tif 000009
【図８】
2014042540.tif 000010
【図９】
2014042540.tif 000011
【図１０】
2014042540.tif 000012
【図１１】
2014042540.tif 000013
【図１２】
2014042540.tif 000014
【手続補正書】
【提出日】平成25年1月7日(2013.1.7)
【手続補正１】
【補正対象書類名】特許請求の範囲
【補正対象項目名】全文
【補正方法】変更
【補正の内容】
【特許請求の範囲】
【請求項１】
第１の開口部及び第２の開口部が形成された鞄本体と、
前記第１の開口部の縁部に設けられた第１の接合部材と、
前記第２の開口部の縁部に設けられた第２の接合部材と、
一端が開口し、第１の物品又は第２の物品が収納可能であって、前記開口近傍の外周に第３の接合部材が設けられた筒状の第１の収納部と、一端が開口するとともに他端が閉塞し、外周が前記第１の収納部の他端内周縁と接合され、前記第２の物品又は前記第１の物品が収納可能であって、前記開口近傍の前記外周に第４の接合部材が設けられた袋状の第２の収納部と、前記第１の収納部の前記開口を閉塞する第１の閉塞部材と、前記第２の収納部の前記開口を閉塞する第２の閉塞部材とを有し、前記第２の収納部の前記他端は、前記第１の収納部と前記第２の収納部とを仕切るとともに、前記第１の収納部の内部及び前記第２の収納部の内部に進入可能に構成された物品収納袋とを備え、
前記第１の接合部材又は前記第２の接合部材と前記第３の接合部材とが取り外し可能に接合され、前記第２接合部材又は前記第１の接合部材と前記第４の接合部材とが取り外し可能に接合されていることを特徴とする鞄。
【請求項２】
第１の開口部及び第２の開口部が形成された鞄本体と、
前記第１の開口部の縁部に設けられた第１の接合部材と、
前記第２の開口部の縁部に設けられた第２の接合部材と、
一端が開口し、第１の物品又は第２の物品が収納可能であって、前記開口近傍の外周に第３の接合部材が設けられた筒状の第１の収納部と、一端が開口し、他端周縁が前記第１の収納部の他端周縁と接合され、前記第２の物品又は前記第１の物品が収納可能であって、前記開口近傍の外周に第４の接合部材が設けられた筒状の第２の収納部と、前記第１の収納部の前記他端周縁と前記第２の収納部の前記他端周縁との接合部内周に周縁が接合され、前記第１の収納部と前記第２の収納部とを仕切るとともに、前記第１の収納部の内部及び前記第２の収納部の内部に進入可能な仕切り部と、前記第１の収納部の前記開口を閉塞する第１の閉塞部材と、前記第２の収納部の前記開口を閉塞する第２の閉塞部材とを有する物品収納袋とを備え、
前記第１の接合部材又は前記第２の接合部材と前記第３の接合部材とが取り外し可能に接合され、前記第２接合部材又は前記第１の接合部材と前記第４の接合部材とが取り外し可能に接合されていることを特徴とする鞄。
【請求項３】
前記仕切り部は、一端が開口するとともに他端が閉塞した第１及び第２の袋部からなり、各開口部がずれて対向し、かつ、外周縁の一部が結合されて一体化し、一体化した第１及び第２の袋部の開口部全体の外周縁が前記第１の収納部の他端内周縁と前記第２の収納部の他端内周縁に接合されていることを特徴とする請求項２に記載の鞄。
【請求項４】
前記第１の閉塞部材は、前記第１の収納部の開口周縁に設けられた紐通しに挿通された第１の紐であり、前記第１の収納部の前記開口を巾着絞りで閉塞し、
前記第２の閉塞部材は、前記第２の収納部の開口周縁に設けられた紐通しに挿通された第２の紐であり、前記第１の収納部の前記開口を巾着絞りで閉塞することを特徴とする請求項１乃至３のいずれかに記載の鞄。
【手続補正３】
【補正対象書類名】明細書
【補正対象項目名】０００１
【補正方法】変更
【補正の内容】
【０００１】
本発明は、下着や水着等の衣類や上履き、オムツ、お菓子などの様々な物品の未使用又は包装が未開封のものと使用済み又は包装が開封済みのものとをまとめて収納するのに好適な物品収納袋を備えた鞄に関する。
【手続補正４】
【補正対象書類名】明細書
【補正対象項目名】０００６
【補正方法】変更
【補正の内容】
【０００６】
本発明は、上述した事情に鑑みてなされたものであり、上述のような問題を解決することを課題の一例とするものであり、これらの課題を解決することができる物品収納袋を備えた鞄を提供することを目的とする。
【手続補正５】
【補正対象書類名】明細書
【補正対象項目名】０００７
【補正方法】変更
【補正の内容】
【０００７】
上記課題を解決するために、請求項１に記載の発明に係る鞄は、第１の開口部及び第２の開口部が形成された鞄本体と、前記第１の開口部の縁部に設けられた第１の接合部材と、前記第２の開口部の縁部に設けられた第２の接合部材と、一端が開口し、第１の物品又は第２の物品が収納可能であって、前記開口近傍の外周に第３の接合部材が設けられた筒状の第１の収納部と、一端が開口するとともに他端が閉塞し、外周が前記第１の収納部の他端内周縁と接合され、前記第２の物品又は前記第１の物品が収納可能であって、前記開口近傍の前記外周に第４の接合部材が設けられた袋状の第２の収納部と、前記第１の収納部の前記開口を閉塞する第１の閉塞部材と、前記第２の収納部の前記開口を閉塞する第２の閉塞部材とを有し、前記第２の収納部の前記他端は、前記第１の収納部と前記第２の収納部とを仕切るとともに、前記第１の収納部の内部及び前記第２の収納部の内部に進入可能に構成された物品収納袋とを備え、前記第１の接合部材又は前記第２の接合部材と前記第３の接合部材とが取り外し可能に接合され、前記第２接合部材又は前記第１の接合部材と前記第４の接合部材とが取り外し可能に接合されていることを特徴としている。
【手続補正６】
【補正対象書類名】明細書
【補正対象項目名】０００８
【補正方法】変更
【補正の内容】
【０００８】
また、請求項２に記載の発明に係る鞄は、第１の開口部及び第２の開口部が形成された鞄本体と、前記第１の開口部の縁部に設けられた第１の接合部材と、前記第２の開口部の縁部に設けられた第２の接合部材と、一端が開口し、第１の物品又は第２の物品が収納可能であって、前記開口近傍の外周に第３の接合部材が設けられた筒状の第１の収納部と、一端が開口し、他端周縁が前記第１の収納部の他端周縁と接合され、前記第２の物品又は前記第１の物品が収納可能であって、前記開口近傍の外周に第４の接合部材が設けられた筒状の第２の収納部と、前記第１の収納部の前記他端周縁と前記第２の収納部の前記他端周縁との接合部内周に周縁が接合され、前記第１の収納部と前記第２の収納部とを仕切るとともに、前記第１の収納部の内部及び前記第２の収納部の内部に進入可能な仕切り部と、前記第１の収納部の前記開口を閉塞する第１の閉塞部材と、前記第２の収納部の前記開口を閉塞する第２の閉塞部材とを有する物品収納袋とを備え、前記第１の接合部材又は前記第２の接合部材と前記第３の接合部材とが取り外し可能に接合され、前記第２接合部材又は前記第１の接合部材と前記第４の接合部材とが取り外し可能に接合されていることを特徴としている。
【手続補正７】
【補正対象書類名】明細書
【補正対象項目名】０００９
【補正方法】変更
【補正の内容】
【０００９】
また、請求項３に記載の発明は、請求項２に記載の鞄に係り、前記仕切り部は、一端が開口するとともに他端が閉塞した第１及び第２の袋部からなり、各開口部がずれて対向し、かつ、外周縁の一部が結合されて一体化し、一体化した第１及び第２の袋部の開口部全体の外周縁が前記第１の収納部の他端内周縁と前記第２の収納部の他端内周縁に接合されていることを特徴としている。
【手続補正８】
【補正対象書類名】明細書
【補正対象項目名】００１０
【補正方法】変更
【補正の内容】
【００１０】
また、請求項４に記載の発明は、請求項１乃至３のいずれかに記載の鞄に係り、前記第１の閉塞部材は、前記第１の収納部の開口周縁に設けられた紐通しに挿通された第１の紐であり、前記第１の収納部の前記開口を巾着絞りで閉塞し、前記第２の閉塞部材は、前記第２の収納部の開口周縁に設けられた紐通しに挿通された第２の紐であり、前記第１の収納部の前記開口を巾着絞りで閉塞することを特徴としている。
上記各請求項において、収納袋に収容する物品が衣類、上履き、オムツ及びこれらに類似する物品である場合には、第１の物品とは未使用の物品をいい、第２の物品とは使用済みの物品をいう。
また、上記各請求項において、収納袋に収容する物品がお菓子及びこれらに類似する物品である場合には、第１の物品とは包装が未開封の物品をいい、第２の物品とは包装が開封済みの物品をいう。